(57)【要約】【課題】本発明は、斜張ケーブルの架設方法に係り、斜張ケーブルを効率的に行い、かつ、迅速な架設ができるようにすることが課題である。【解決手段】斜張ケーブルの架設方法は、主塔１と橋桁２との間に斜めに架設される斜張ケーブル４の架設方法であって、主塔１と橋桁２との間に誘導ゲージ吊りワイヤー６を架設した後、該誘導ゲージ吊りワイヤー６の下側に沿って架設した間隔保持用ワイヤー７と、この間隔保持用ワイヤー７に適宜間隔ごとに設置され、かつ吊下用ワイヤー６を取り囲んで該ワイヤーに吊り下げられた環状の誘導ゲージ８と、該誘導ゲージ８内を通した引張用ワイヤー９とからなる架設装置５を設置し、前記引張用ワイヤー９に接続したストランド３を主塔１側に引き寄せて、主塔１と橋桁２との間に架設し、この架設を順次繰り返して斜張ケーブル４を形成することである。【選択図】　　図１
2004107951.tif 000002
【特許請求の範囲】
【請求項１】
主塔と橋桁との間に斜めに架設される斜張ケーブルの架設方法であって、主塔と橋桁との間に誘導ゲージ吊りワイヤーを架設した後、該誘導ゲージ吊りワイヤーの下側に沿って架設した間隔保持用ワイヤーに適宜間隔ごとに設置され、かつ誘導ゲージ吊りワイヤーを取り囲んで該ワイヤーに吊り下げられた環状の誘導ゲージと、該誘導ゲージ内を通した引張用ワイヤーとからなる架設装置を設置し、前記引張用ワイヤーに接続したストランドを主塔側に引き寄せて主塔と橋桁との間に架設し、この架設を順次繰り返して斜張ケーブルを形成することを特徴とする斜張ケーブルの架設方法。
【請求項２】
ストランドは誘導ゲージの底部に形成したガイド凹部内を通して主塔側に引き寄せることを特徴とする請求項１に記載の斜張ケーブルの架設方法。
【請求項３】
引張用ワイヤーは、主塔の下部に設置したウインチから導出されて誘導ゲージ吊りワイヤーの末端付近の橋桁に設置された金車に掛けられるとともに、誘導ゲージ内を通って誘導ゲージ吊りワイヤーの先端付近の主塔に設置された金車を介してウインチに巻き取られることを特徴とする請求項１または２に記載の斜張ケーブルの架設方法。
【請求項４】
主塔と橋桁との間に架設された誘導ゲージ吊りワイヤーと、該誘導ゲージ吊りワイヤーの下側に沿って架設した間隔保持用ワイヤーと、この間隔保持用ワイヤーに適宜間隔ごとに設置され、かつ誘導ゲージ吊りワイヤーを取り囲んで該ワイヤーに吊り下げられた環状の誘導ゲージと、該誘導ゲージ内を通した引張用ワイヤーとからなり、該引張用ワイヤーは、主塔の下部に設置したウインチから導出されて誘導ゲージ吊りワイヤーの末端付近の橋桁に設置された金車に掛けられるとともに、誘導ゲージ内を通って誘導ゲージ吊りワイヤーの先端付近の主塔に設置された金車を介してウインチに接続されたことを特徴とする斜張ケーブルの架設装置。
【請求項５】
誘導ゲージの底部にストランドを通すためのガイド凹部が形成されたことを特徴とする請求項４に記載の斜張ケーブルの架設装置。
【発明の詳細な説明】
【０００１】
【発明の属する技術分野】
本発明は斜張ケーブルの架設方法およびその装置に関するものである。
【０００２】
【従来の技術】
従来の斜張ケーブルの架設方法およびその装置として、図９に示すように、最初に架設された第１のストランド３０に誘導ゲージ３１が適宜間隔ごとに吊り下げられ、この誘導ゲージ３１に通した誘導レール３２を走行する台車３３によってストランド３４を主塔３５と橋桁３６との間に架設するものが知られている（例えば、特許文献１参照。）。
【０００３】
【特許文献１】
特開平６−２９９５１７号公報（第４頁乃至第６頁、第２図）
【０００４】
【発明が解決しようとする課題】
しかし、上記の架設方法においては、誘導ゲージのストランドへの設置または解体を一つずつ行うため架設に手間がかかり、迅速な架設ができなかった。また架設装置は誘導ゲージ内に通した誘導レールに台車を設置しているため複雑な構成になっていた。
【０００５】
本発明は上記のような問題に鑑みてなされたものであり、その目的は、斜張ケーブルの効率的かつ迅速な架設ができるとともに、簡単な架設装置を提供することである。
【０００６】
【課題を解決するための手段】
以上の課題を解決するための斜張ケーブルの架設方法の発明の要旨は、主塔と橋桁との間に斜めに架設される斜張ケーブルの架設方法であって、主塔と橋桁との間に誘導ゲージ吊りワイヤーを架設した後、該誘導ゲージ吊りワイヤーの下側に沿って架設した間隔保持用ワイヤーと、この間隔保持用ワイヤーに適宜間隔ごとに設置され、かつ誘導ゲージ吊りワイヤーを取り囲んで該ワイヤーに吊り下げられた環状の誘導ゲージと、該誘導ゲージ内を通した引張用ワイヤーとからなる架設装置を設置し、前記引張用ワイヤーに接続したストランドを主塔側に引き寄せて主塔と橋桁との間に架設し、この架設を順次繰り返して斜張ケーブルを形成することを特徴とする構成である。
【０００７】
上記の架設装置における間隔保持用ワイヤーを主塔と橋桁間に架設すると同時に誘導ゲージが誘導ゲージ吊りワイヤーに適宜間隔ごとに吊り下げられる一方、間隔保持用ワイヤーと誘導ゲージとを取り外して他に転用することができるものであり、前記誘導ゲージの設置および解体が簡単かつ迅速におこなえる。
【０００８】
またストランドは誘導ゲージの底部に形成したガイド凹部内を通して主塔側に引き寄せることを含むものである。このストランドが誘導ゲージのガイド凹部内を通して主塔側に引き寄せられ、緊張されることで前記ガイド凹部から抜け出して上方向に引き上げられて所定の架設位置に配設される。
【０００９】
また引張用ワイヤーは、主塔の下部に設置したウインチから導出されて斜張ケーブルの末端付近の橋桁に設置された金車に掛けられるとともに、誘導ゲージ内を通って斜張ケーブルの先端付近の主塔に設置された金車を介してウインチに巻き取られることを含むものである。上記引張用ワイヤーは誘導ゲージ内を通って環状に張られているため、ストランドの引き寄せ、および引張用ワイヤーへの設置が簡単にできる。
【００１０】
また斜張ケーブルの架設装置の発明の要旨は、主塔と橋桁との間に架設された誘導ゲージ吊りワイヤーと、該誘導ゲージ吊りワイヤーの下側に沿って架設した間隔保持用ワイヤーと、この間隔保持用ワイヤーに適宜間隔ごとに設置され、かつ誘導ゲージ吊りワイヤーを取り囲んで該ワイヤーに吊り下げられた環状の誘導ゲージと、該誘導ゲージ内を通した引張用ワイヤーとからなり、該引張用ワイヤーは、主塔の下部に設置したウインチから導出されて誘導ゲージ吊りワイヤーの末端付近の橋桁に設置された金車に掛けられるとともに、誘導ゲージ内を通って誘導ゲージ吊りワイヤーの先端付近の主塔に設置された金車を介してウインチに接続されたことを特徴とする構成である。この斜張ケーブルの架設装置が誘導ゲージ吊りワイヤーと、間隔保持用ワイヤーと、環状の誘導ゲージと、引張用ワイヤーとからなるため、大型重機等の架設機材が必要無く、容易に主塔と橋桁との間にケーブルを設置でき、かつ解体も簡単にできる。
【００１１】
また誘導ゲージの底部にストランドを通すためのガイド凹部が形成されたことを含むものである。上記のガイド凹部にストランドを通すと安定した引き寄せができる。
【００１２】
【発明の実施の形態】
以下、本発明の斜張ケーブルの架設方法およびその装置の実施の形態を図面に基づいて説明する。
【００１３】
この斜張ケーブルの架設は、図１に示すように、主塔１と橋桁２との間にストランド３を１本ずつ架設して、例えば１ケーブルにつき数本〜百数十本のストランドからなる斜張ケーブル４を架設するものであり、１ケーブルの上部に位置するストランドより順次架設し緊張していく。複数あるケーブルは、主塔１の下部から上部にかけて順次架設するものである。
【００１４】
この斜張ケーブル４の架設方法は、はじめに主塔１に沿った足場を組立形成すし（図示せず）、これを利用して主塔１と橋桁２との間に架設装置５を組み立てる。この架設装置５は、誘導ゲージ吊りワイヤー６と、間隔保持用ワイヤー７に適宜間隔ごとに設置された環状の誘導ゲージ８と、該誘導ゲージ８内を通した引張用ワイヤー９とから構成されている。
【００１５】
そして、図２に示すように、前記誘導ゲージ吊りワイヤー６を主塔１との間に架設するとともに、環状の誘導ゲージ８を組立形成する。この誘導ゲージ８は、図３に示すように、上部と両側の間隔保持用ワイヤー７に適宜間隔ごとに取り付けた上部リング１０と、該上部リング１０にカプラー１１で取り付けた下部リング１２とからなり、この下部リング１２の底部には引張用ワイヤーを通すガイド凹部１３が形成されている。
【００１６】
このガイド凹部１３はＵ字形であるが、同図の（２）に示すように、ガイド凹部１３からの引張ワイヤーの飛び出しを防ぐためにＵ字の下部に膨らみ部１４を形状にすることもでき、これによりストランドの一層の安定した引き寄せができる。
【００１７】
この誘導ゲージ８の組み立ては、図３に示すように、誘導ゲージ吊りワイヤー６に上部リング１０を被せ、これに下部リング１２をカプラー１１で接合すると、誘導ゲージ吊りワイヤー６を囲むようにした誘導ゲージ８が組み立てられる。
【００１８】
そして必要な本数の誘導ゲージ８を組み立てた後、図４に示すように、ウインチ１５から誘導ゲージ吊りワイヤー６の末端付近の橋桁に設置した金車１６を介して導出した引張用ワイヤー９をガイド凹部１３に通し、これとともに間隔保持用ワイヤー７をウインチ１５で主塔１側に引き寄せて主塔１と橋桁２との間に架設する。前記誘導ゲージ８が２〜３ｍごとに前記誘導ゲージ吊りワイヤー６に吊り下げられる。
【００１９】
次に、前記引張用ワイヤー９を、誘導ゲージ吊りワイヤー６の先端付近の主塔１に設置した金車１６を介して、ウインチ１５に接続すると、主塔１上部と橋桁２との間に架設装置５が組み立てられる。
【００２０】
次に、図５（１）に示すように、ストランドドラム１７から引き出した二本のストランド３の先端を、引張用ワイヤー９に取り付けた接続用カプラー１８に接続する。この接続用カプラー１８は、図５（２），（３）に示すように、取付本体１９にバネ２０を介して蓋体２１がねじ込まれて形成され、取付本体１９の取付孔２２に差し込んだストランド３が仮止めウエッジ２３で固定されている。
【００２１】
次に、ウインチ１５の巻取用ロラーで引張用ワイヤー９を巻き取って、図６の（１）に示すように、ストランド３の先端を主塔１に引き寄せ、当該ストランド３の先端から少し離れた距離に仮止ワイヤー２４を接続する。
【００２２】
そして、図６（２）に示すように、前記ストランド３の先端を接続用カプラー１８から取り外し、そこにパイロットバー２５を接続するとともに、仮止ワイヤー２４を手巻きウインチ２６で巻き取って、主塔１に設置した定着体２７にストランド３を挿入して定着ウエッジ３４で定着する。
【００２３】
一方、ストランド３の末端は、図７に示すように、必要な箇所で切断し、そこに接続したガイドバー２８で橋桁２に取り付けた定着体２７に挿入するとともに、所定の緊張力を付与して定着ウエッジ３４で定着する。
【００２４】
そして、上記のような架設作業を繰り返して、斜張ケーブルの構成に必要な本数のストランド３、例えば数本〜百数十本を架設して、図８の（１）に示すように、斜張ケーブル４を主塔１と橋桁２との間に架設する。
【００２５】
次に、上記のような斜張ケーブル４を架設した後、同図の（２）および（３）に示すように、間隔保持用ワイヤー７を取り外すとともに、誘導ゲージ吊りワイヤー６の末端に集めた誘導ゲージ８を上部リング１０と下部リング１２とに分割して、誘導ゲージ吊りワイヤー６から取り外すと、１本の斜張ケーブル４の架設が完了する。
【００２６】
そして、前記誘導ゲージ吊りワイヤー６を盛り替えて、次のケーブルの架設を行い、このような作業を順次繰り返して、前記斜張ケーブル４を順次架設する。
【００２７】
【発明の効果】
本発明に係る斜張ケーブルの架設方法は、主塔と橋桁との間に斜めに架設される斜張ケーブルの架設方法であって、主塔と橋桁との間に誘導ゲージ吊りワイヤーを架設した後、該誘導ゲージ吊りワイヤーの下側に沿って架設した間隔保持用ワイヤーに適宜間隔ごとに設置され、かつ誘導ゲージ吊りワイヤーを取り囲んで該ワイヤーに吊り下げられた環状の誘導ゲージと、該誘導ゲージ内を通した引張用ワイヤーとからなる架設装置を設置し、前記引張用ワイヤーに接続したストランドを主塔側に引き寄せて主塔と橋桁との間に架設し、この架設を順次繰り返して斜張ケーブルを形成する架設方法なので、斜張ケーブルの効率的かつ迅速な架設ができると言う優れた効果を奏するものである。
【００２８】
また、前記ストランドは誘導ゲージの底部に形成したガイド凹部内を通して主塔側に引き寄せるので、安定した斜材ケーブルの架設作業となる。
【００２９】
前記引張用ワイヤーは、主塔の下部に設置したウインチから導出されて誘導ゲージ吊りワイヤーの末端付近の橋桁に設置された金車に掛けられるとともに、誘導ゲージ内を通って誘導ゲージ吊りワイヤーの先端付近の主塔に設置された金車を介してウインチに巻き取られるので、引張用ワイヤーを循環させてストランドの引張り作業ができるようになり、作業能率が向上する。
【００３０】
本発明の斜張ケーブルの架設装置は、主塔と橋桁との間に架設された誘導ゲージ吊りワイヤーと、該誘導ゲージ吊りワイヤーの下側に沿って架設した間隔保持用ワイヤーと、この間隔保持用ワイヤーに適宜間隔ごとに設置され、かつ誘導ゲージ吊りワイヤーを取り囲んで該ワイヤーに吊り下げられた環状の誘導ゲージと、該誘導ゲージ内を通した引張用ワイヤーとからなり、該引張用ワイヤーは、主塔の下部に設置したウインチから導出されて誘導ゲージ吊りワイヤーの末端付近の橋桁に設置された金車に掛けられるとともに、誘導ゲージ内を通って誘導ゲージ吊りワイヤーの先端付近の主塔に設置された金車を介してウインチに接続されているので、能率的で簡単な架設装置を提供することができる。前記誘導ゲージの底部にストランドを通すためのガイド凹部が形成されたことで、ストランドを確実、且つ、安定して架設できるものである。
【図面の簡単な説明】
【図１】斜張ケーブルの架設方法を示す図である。
【図２】（１）は主塔と橋桁との間に誘導ゲージ吊りワイヤーを架設した図、（２）は誘導ゲージ吊りワイヤーに誘導ゲージを設置する図である。
【図３】（１）は誘導ゲージの正面図、（２）は同側面図、（３）は他の誘導ゲージの正面図である。
【図４】（１）および（２）は架設装置を設置する図である。
【図５】（１）はストランドを引張用ワイヤーに接続した図、（２）は接続カプラーの断面図、（３）は同図（２）のＡ−Ａ線に沿った断面図である。
【図６】（１）〜（３）はストランドの先端を主塔に定着する図である。
【図７】（１）および（２）はストランドの末端を橋桁に定着する図である。
【図８】（１）は斜張ケーブルを架設した図、（２）および（３）は誘導ゲージを解体する図である。
【図９】（１）は従来の斜張ケーブルの架設方法の図、（２）は誘導ゲージの斜視図である。
【符号の説明】
１，３５　　　　主塔、　　　　　　　　２，３６　　　橋桁、
３，３０，３４　ストランド、　　　　　４　　　　　　斜張ケーブル、
５　　　　　　　架設装置、
６　　　　　　　誘導ゲージ吊りワイヤー、
７　　　　　　　間隔保持用ワイヤー、　８　　　　　　誘導ゲージ、
９　　　　　　　　引張用ワイヤー、　　　１０　　　　　上部リング、
１１　　　　　　　カプラー、　　　　　　１２　　　　　下部リング、
１３　　　　　　　ガイド凹部、　　　　　１４　　　　　膨らみ部、
１５　　　　　　　ウインチ、　　　　　　１６　　　　　金車、
１７　　　　　　　ストランドドラム、　　１８　　　　　接続用カプラー、
１９　　　　　　　取付本体、　　　　　　２０　　　　　バネ、
２１　　　　　　　蓋体、　　　　　　　　２２　　　　　取付孔、
２３　　　　　　　仮止めウエッジ、　　　２４　　　　　仮止ワイヤー、
２５　　　　　　　　パイロットバー、　　　２６　　　　　手巻きウインチ、
２７　　　　　　　定着体、　　　　　　　２８　　　　　ガイドバー、
３１　　　　　　　誘導ゲージ、　　　　　３２　　　　　誘導レール、
３３　　　　　　　台車、　　　　　　　　３４　　　　　定着ウエッジ。
【図１】
2004107951.tif 000003
【図２】
2004107951.tif 000004
【図３】
2004107951.tif 000005
【図４】
2004107951.tif 000006
【図５】
2004107951.tif 000007
【図６】
2004107951.tif 000008
【図７】
2004107951.tif 000009
【図８】
2004107951.tif 000010
【図９】
2004107951.tif 000011